(57)【特許請求の範囲】
【請求項１】
ラッチ９をフロント面に収没させるレバー状の操作部材１０を有するドア本体３と、このドア本体の開口部５に一体的に組込まれた救助用中扉４とから成り、前記救助用中扉４は、平常時にはドア本体の縦框３ｃ並びに救助用中扉４の縁部にそれぞれ設けられた係合手段６を介して一体的に係合し、一方緊急時には、係合手段６の係合状態を解除し、また操作部材１０をバネ部材１３のバネ力に抗して脱衣室側へと水平回転させたうえで開放し、前記バネ部材１３は、ドア本体３の取付け受け座１１に突出形成された角型嵌合口部１７に嵌合する操作部材１０の回転部２２内にラッチ９用の駆動片３０と共に組込まれ、さらに、平常時に於いて、操作部材１０が脱衣室側に回転しないように前記嵌合口部１７にストッパー片５０が設けられ、このストッパー片５０は、嵌合口部１７の差込み口１９に入り込んで該嵌合口部１７と係脱する係合爪片５２を有することを特徴とする緊急事態用浴室ドア。
【請求項２】
請求項１に於いて、ストッパー片５１の係合爪片５２は、嵌合口部１７の内壁面に形成した被係合部５５と係脱することを特徴とする緊急事態用浴室ドア。
【請求項３】
請求項１に於いて、ストッパー片５０は、取付け受け座１１の取付け基板部１５と操作部材１０の操作部１０ａとの間に位置する垂直板部５１と、この垂直板部５１から突出するアーム状の弾性係合爪片５２とから成り、前記弾性係合爪片５２は、操作部材１０を脱衣室側に回転させないように操作部材１０の回転部２２に形成された段差状の幅広切欠部２７に入り込んでいることを特徴とする緊急事態用浴室ドア。
【請求項４】
請求項３に於いて、垂直板部５１には、取付け受け座１１の嵌合口部１７に形成された位置決め用嵌合孔２０と嵌合する小突起５４が形成されていることを特徴とする緊急事態用浴室ドア。
【請求項５】
ラッチ９をフロント面に収没させるレバー状の操作部材１０Ａを有するドア本体３と、このドア本体の開口部５に一体的に組込まれた救助用中扉４とから成り、前記救助用中扉４は、平常時にはドア本体の縦框３ｃ並びに救助用中扉４の縁部にそれぞれ設けられた係合手段６を介して一体的に係合し、一方緊急時には、係合手段６の係合状態を解除し、また操作部材１０Ａをバネ部材１３のバネ力に抗して脱衣室側へと水平回転させたうえで開放し、前記バネ部材１３は、ドア本体３の取付け受け座１１Ａに突出形成された角型嵌合口部１７Ａに嵌合する操作部材１０Ａの回転部２２内にラッチ９用の駆動片３０と共に組込まれ、さらに、平常時に於いて、操作部材１０Ａが脱衣室側に回転しないように操作部材１０Ａと係合するストッパー片５０Ａが前記嵌合口部１７Ａに一体的に設けられていることを特徴とする緊急事態用浴室ドア。
【請求項６】
請求項５に於いて、ストッパー片５０Ａの鉤状先端部５３Ａは操作部材１０Ａの化粧板２１Ａに係合することを特徴とする緊急事態用浴室ドア。
【発明の詳細な説明】
【０００１】
【発明の属する技術分野】
本発明は緊急事態用浴室ドアに関する。ここで緊急事態とは、例えば浴室内で人が倒れた場合を言う。このような場合本発明の緊急事態用浴室ドアは、ドア本体から救助用中扉を開放することができる。
【０００２】
【従来の技術】
従来の一例としては、特開平６−３０７１６９号公報に記載の緊急脱出扉付き浴室ドアがある。この公報記載の浴室ドアは、レバーハンドルを有するドア本体と、このドア本体に一体的に組込まれた緊急脱出ドアとから成り、前記緊急脱出ドアは、まず緊急時に非常用解錠装置の操作部材を操作し、ドア本体と緊急脱出ドアとの係合を常に保持している係合手段を解除する。ドア本体と緊急脱出ドアを一体的に結合している係合手段は、ドア本体の縦框に沿って固定的に設けられた端面ハット型の被係合部材と、この被係合部材の凹所にバネ部材のバネ力により常時圧接係合するように付勢され、かつ、緊急脱出ドアの縦縁部に取付けられた突起状係合部材とから成る。
【０００３】
そこで、凹所側の被係合部材と凸側の係合部材との係合は、ドア本体側に備えられた非常用解錠装置の操作部材によって係合解除される訳であるが、この係合解除は、ドア本体の外壁面から突出する操作つまみを有する長板片状操作部材を縦方向へと移動操作すると、その解除レバーの先端部が緊急脱出ドアの係合部材をバネ部材のバネ力に抗して係合解除の方向（見付け方向）へと押圧する。
【０００４】
次に係合手段の係合を解除したならば、緊急脱出ドアを浴室ドアの幅方向へとスライド移動させ、さらに、緊急脱出ドアを縦軸を介してドア本体から脱衣室側へと回転開放させる。したがって、次に列挙するような問題点があった。
▲１▼縦框に対する緊急脱出ドアの「がたつき」を防止することができる利点を有するが、係合手段はその構成する部品点数が多く、また非常用解錠装置の解除レバーとの当接関係も考慮しなければならない。
▲２▼非常用解錠装置を構成する部品点数も多い。例えば縦框に対してドアの奥行き方向に合わせられるサッシ状支持部材、この支持部材の窓孔から水平軸を介して先端部が突出する解除部材、この解除部材の内端部を軸支する長板片状操作部材、この操作部材の適宜箇所に設けられた操作用摘み等が必要である。そして、これらの各部材をドア本体の縦枠に取付けなければ成らない。したがって、ドア本体及び緊急脱出ドアの奥行き（見込み幅）の縁部が拡大化する。
▲３▼緊急脱出ドアをそのまま開放すると、ドア本体のレバーハンドルが邪魔になる。そこで、レバーハンドルとの衝突を回避するために緊急脱出ドアをスライド型に構成している。そのため緊急脱出ドアに複雑なスライド機構を設けている。
【０００５】
【発明が解決しようとする課題】
本発明は以上のような従来の欠点に鑑み、第１の目的は、緊急時に係合手段の係合状態を解除させた救助用中扉を、そのままの位置から脱衣室側に水平回転させて開放することができることである。この場合ドア本体のレバー状操作部材が邪魔にならないことである。第２の目的は、平常時に操作部材を中扉側にプッシュするとラッチが操作部材の連動してフロント面に収没し、一方、緊急事態発生時に操作部材の回転量規制用ストッパー片を手動で操作（係脱、回転）した後に操作部材を脱衣室側にプル（引き寄せ）すると、ラッチが操作部材に連動しないで、操作部材のみが水平回転することである。第３の目的は、レバー状操作部材を簡単にドア本体の取付け受け座に組込むことができると共に、操作部材をいずれの方向（中扉側と脱衣室側）にそれぞれ水平回転（プッシュとプル）させてもバネ部材のバネ力により浴室ドアの外壁面に対向する位置へと復帰することである。第４の目的は、平常時には操作部材が脱衣室側に回転せず、一方、緊急時には直ちに操作部材の前記回転規制の解消を図ることができることである。
【０００６】
【課題を解決するための手段】
本発明の緊急事態用浴室ドアは、ラッチ９をフロント面に収没させるレバー状の操作部材１０を有するドア本体３と、このドア本体の開口部５に一体的に組込まれた救助用中扉４とから成り、前記救助用中扉４は、平常時にはドア本体の縦框３ｃ並びに救助用中扉４の縁部にそれぞれ設けられた係合手段６を介して一体的に係合し、一方緊急時には、係合手段６の係合状態を解除し、また操作部材１０をバネ部材１３のバネ力に抗して脱衣室側へと水平回転させたうえで開放し、前記バネ部材１３は、ドア本体３の取付け受け座１１に突出形成された角型嵌合口部１７に嵌合する操作部材１０の回転部２２内にラッチ９用の駆動片３０と共に組込まれ、さらに、平常時に於いて、操作部材１０が脱衣室側に回転しないように前記嵌合口部１７にストッパー片５０が設けられ、このストッパー片５０は、嵌合口部１７の差込み口１９に入り込んで該嵌合口部１７と係脱する係合爪片５２を有することを特徴とする。
【０００７】
また本発明の緊急事態用浴室ドアは、ラッチ９をフロント面に収没させるレバー状の操作部材１０Ａを有するドア本体３と、このドア本体の開口部５に一体的に組込まれた救助用中扉４とから成り、前記救助用中扉４は、平常時にはドア本体の縦框３ｃ並びに救助用中扉４の縁部にそれぞれ設けられた係合手段６を介して一体的に係合し、一方緊急時には、係合手段６の係合状態を解除し、また操作部材１０Ａをバネ部材１３のバネ力に抗して脱衣室側へと水平回転させたうえで開放し、前記バネ部材１３は、ドア本体３の取付け受け座１１Ａに突出形成された角型嵌合口部１７Ａに嵌合する操作部材１０Ａの回転部２２内にラッチ９用の駆動片３０と共に組込まれ、さらに、平常時に於いて、操作部材１０Ａが脱衣室側に回転しないように操作部材１０Ａと係合するストッパー片５０Ａが前記嵌合口部１７Ａに一体的に設けられていることを特徴とする。
【０００８】
【発明の実施の形態】
図１乃至図１２に示す第１実施例の緊急事態用浴室ドアＸについて説明する。まず、図１を参照に浴室ドアＸの実施形態（環境）を簡単に説明する。符号Ａは浴室、Ｂは脱衣室、１はドア用枠、Ｘは枢軸２を介して前記ドア用枠１に開放自在に取付けられた緊急事態（救出）用浴室ドアである。
【０００９】
普通一般に浴室ドアは、浴室Ａ側に開放する。したがって、浴室Ａ内で人が倒れた緊急事態発生の場合には、図１の仮想線で示すように、浴室ドアＸを浴室Ａ側に開いて人を助け出さなければならない。本発明の浴室ドアＸも、もちろん浴室Ａ側に開放するので、普通一般の浴室ドアと同様に浴室ドアＸを浴室Ａ側に開き、倒れた人を助け出すことができる。
【００１０】
次に本発明の浴室ドアＸの構成について詳しく説明する。この浴室ドアＸは、基本的には、ドア本体３と、このドア本体に一体的に組み込まれた救助用中扉４と、平常時この救助用中扉が前記ドア本体から外れないように一体化させる係合手段６と、ラッチ９をドア本体のフロント面から収没させる操作部材１０と、この操作部材を常態の位置へ復帰させるバネ部材１３と、平常時に於いて、操作部材１０が脱衣室側に回転しないように取付け受け座１１の嵌合口部１７に取り外し可能に設けられた係合爪片５２を有するストッパー片５０とから成る。
【００１１】
そこで、これらの基本的構成部材について順番に説明する。まずドア本体３について説明する。ドア本体３はアルミニュームで、いわゆる矩形枠（サッシ）状に形成されている。図１を基準にすると、３ａは上框、３ｂは下框、３ｃはラッチ側の縦框、３ｄは枢軸２或いは蝶番側の縦框である。矩形枠状のドア本体３は、水が脱衣室Ｂ側に飛散しないように下枠１ａや縦枠１ｂで規制されている。
【００１２】
したがって、ドア本体３は浴室Ａ側に開放可能であるが、脱衣室Ｂ側には開放することができない。そこで、ドア本体３を普通一般の浴室ドアと同様に浴室Ａ側に開放しようとする場合に於いて、人が倒れた状況如何（例えば浴室ドアに当たっている。）によってはドア本体３の開放が非常に困難、或いはドア本体３の開放が人体に対する危険性を含み、次に説明する救助用中扉４を脱衣室Ｂ側に開放する必要性が生じる。
【００１３】
救助用中扉４は、ドア本体３と同一垂直面になるようにその開口部５内に一体的に組込まれている。この救助用中扉４は、浴室Ａ内で倒れた人（例えば老人）を容易に救出することができるように、やや大きめに形成されている。この中扉４は、そのままドア本体３から完全に分離することができるように矩形枠状ドア本体３に組込んでも良いが、本実施例では図１の仮想線で示すように外方向（脱衣室Ｂ側）に回転開放する。したがって、中扉４は、ドア本体３に枢着する組立て前は、ドア本体３に対して独立した物品である。４ａは中扉４の側端部付近の外壁面に組込んだ把手である。
【００１４】
次に平常時中扉４がドア本体３から外れないように一体化させる係合手段６について説明する。この係合手段６は、図１で示すように浴室ドアＸの上下に一組設けられている。すなわち、７はドア本体３に一端部が軸支されたバー状の係止片、一方、８は中扉４の外壁面に突出状態に固定された鉤状の係合受け片である。本実施例のように係合手段６が浴室ドアＸの外壁面から突出する場合には、図示しないカバーを設けるのが望ましい。この点外観上の理由から係合手段６の突出を極力避けたい場合には、例えば操作摘み部がドア本体３の外壁面から突出するバー状係止片７をドア本体３の縦框３ｃ内に回転自在に組込み、一方、中扉４の側端部にバー状係止片７の自由端部が係合する係合凹所を形成すれば良い。或いはまた係止片７を水平方向に移動する出没自在なスライド部材に構成し、該スライド部材のテーパー状突出先端部が常時中扉４側の係合凹所に係合するように図示しない付勢バネを縦框３ｃに内設しても良い。要は平常時に於いて、中扉４がドア本体３から簡単に開放しなければ良い。
【００１５】
次に図２乃至図６を参照にレバー状の操作部材１０について説明する。この操作部材１０は、ドア本体３の縦框３ｃの中央部に固定された取付け受け座１１に垂直軸１２を介して水平方向に回転可能に軸支され、かつ、取付け受け座１１と操作部材１０との組合わせ部分に内装されたバネ部材１３により、長板状操作部１０ａが常に浴室ドアＸの外壁面に対向する位置へと復帰する。
【００１６】
本発明の操作部材１０は、長板状操作部１０ａを中扉４の外壁面側に押圧すると、ラッチ９がフロント面より収没し、一方、長板状操作部１０ａから手を離すと、操作部材１０は前記バネ部材１３のバネ力により復帰すると共に、ラッチ９がラッチバネ４１のバネ力によりフロント面から突出する。この点ラッチ９は、普通一般のレバーハンドルと同様に操作部材１０の作動に連動する。
【００１７】
また操作部材１０は、緊急時に取付け受け座１１の嵌合口部１７から手動で取り外した後にドア本体３と中扉４との係止手段６の係合を解き、前記中扉４を脱衣室Ｂ側に開放すると、その障害にならないように脱衣室Ｂ側に水平回転する。この時ドア本体３のラッチ９は、操作部材１０の水平回転に連動（収没）しない。そして、長板状操作部１０ａから手を離すと、操作部材１０は前記バネ部材１３のバネ力により元の位置へと復帰する。
【００１８】
そこで、本発明の操作部材１０に関連する部材並びに操作部材１０についてさらに説明する。まず取付け受け座１１の構成である。取付け受け座１１は、図４及び図５で示すように長座型のものが用いられている。すなわち、１５は縦長状の取付け基板部で、この取付け基板部１５の上下には、一対の固着具用小孔１６が形成されている。１７は取付け基板部１５の中央部に連設形成された角型の嵌合（口）部で、この嵌合口部１７には、垂直軸１２用の一対の軸孔１８が形成されている。
【００１９】
しかして、取付け受け座１１は、嵌合口部１７から取付け基板部１５に至って貫通状態の角筒状に形成され、図６で示すように前記取付け基板部１５の１つの内壁部１５ａはやや肉厚状に形成されている。そして、内壁部１５ａの内壁面は、嵌合口部１７の奥側からラッチ９側の内側開口に至まで弧状であり、該内側開口を多少塞いでいる。
【００２０】
また取付け受け座１１の嵌合口部１７の一側壁（図４を基準にすると右側壁）１７ａに対向する他側壁（左側壁）１７ｂの上下部には、合計２個の角型差込み口１９が形成されている。これらの差込み口１９は、本実施例では取付け受け座１１の取付け基板部１５寄りの部位に貫通状態に形成されている。さらに、本発明の特定事項ではないが、嵌合口部１７の他側壁（左側壁）１７ｂの中央部、或いは前記上下の差込み口１９、１９の間に相当する部位には、後述するストッパー片５０を嵌合口部１７に容易に取付けることができるように位置決め用嵌合孔２０が形成されている。
【００２１】
次に操作部材１０の特徴は、例えば図５に良く示されている。そこで、図５を基準にすると、１０ａは前述したように長板状操作部で、この操作部１０ａの内壁面の一端（右）部には、上下に所要間隔を有して水平方向の化粧板２１が一対設けられている。これら上下の化粧板２１は、本発明を特定する要件（事項）ではないが、外観上の美観を考慮すると、望ましくは設けるべきである。
【００２２】
２２は上下の化粧板２１、２１内に位置するように操作部１０ａの内壁面に突設され、かつ、取付け受け座１１の少なくとも嵌合口部１７に嵌め込まれる（嵌合する）ケース状回転部である。この回転部２２は、形状的には、操作部１０ａの内壁面の一端部から人間の手首状に延びる連設支持部２３と、この連設支持部部２３にさらに拳状に連設し、かつ、ラッチ９を連動させるためのアーム状駆動片３０の基端部３０ａ及び操作部材１０を復帰させるためのバネ部材１３を略収納する一部開口２４のケース状部２５とから成る。
【００２３】
しかして、前記ケース状部２５の垂直壁部２５ａに交差方向に対向連設する上下の段差状水平板部２５ｂ、２５ｂの中央部には、垂直軸１２用の枢支孔３２、３２が形成されている。また上下の水平板部２５ｂ、２５ｂの内壁面の適宜箇所には、バネ部材１３の形状を考慮し、該バネ部材１３の上下のリング状部１３ａ、１３ａが合理的に位置すべき収納空間形成用のアングル状段差部２５ｃ、２５ｃがその内壁面に沿って形成されている。そして、ケース状部２５の適宜部位（例えば垂直壁部２５ａの側端部）には、バネ部材１３の下端部１３ｂを係止する係合切欠部２６が形成されている。
【００２４】
ところで、前記ケース状部２５の段差状水平板部２５ｂ、２５ｂは、一部開口２４の曲線状縁部に沿ってやや幅広に切欠した格好と成っているが、これは操作部材の回転量規制用ストッパー片５０を嵌合部１７に取付けた場合、ストッパー片５０の係合爪片５２の左右両端部５２ａ、５２ａが、それぞれ段差状水平板部２５ｂ、２５ｂの垂直面２８と取付け基板部１５の外壁面１５ｂに丁度当接可能な状態になるようにした為である。したがって、前記係合爪片５２は、本実施例ではストッパー片５０が嵌合部１７から落下するのを防止する係合機能があるのみならず、操作部材１０を脱衣室側に回転させないようにする回転防止機能もある。
【００２５】
次に操作部材１０を復帰させるバネ部材１３及びラッチ９を出没させる駆動片３０について説明する。バネ部材１３は、駆動片３０の基端部３０ａに形成された垂直軸孔３５に、その上下のリング状部１３ａ、１３ａが合うように該駆動片３０に添設した状態で操作部材１０の回転部２２内に組込まれる。その際、下端部１３ｂは回転部２２の係合切欠部２６に係止され、一方、上端部１３ｃは、図６で示すように取付け受け座１１の内壁面に圧接する。また上下のリング状部１３ａ、１３ａを結ぶコ字型状の中途部１３ｄは、駆動片３０のアーム状駆動部３０ｂの一側（垂直）面に当接する。そして、アーム状駆動部３０ｂの先端部は取付け受け座１１の内側開口１９から突出し、図１１で示すようにラッチ出没機構Ｙを構成する回転レバー（被駆動片）４０に係合する。
【００２６】
ここで、図１１を参照にラッチ出没機構Ｙを構成する各部材を簡単に説明する。４１はラッチ９をフロント板４２から常時突出するように付勢するラッチバネ、４３はラッチバネ４１の一端部を受けるバネ受け板、４４はバネ受け板４３と回転レバー４０との間に介在するＬ字型の係合回転片で、この係合回転片４４の一端部４４ａはラッチ９の後端部に形成、或いは設けたラッチ係合部４５に係合する。また係合回転片４４の他端部４４ｂは回転レバー４０に係合する。
【００２７】
最後にストッパー片５０について説明する。ストッパー片５０は、平常時に於いて、操作部材１０が脱衣室Ｂ側に回転しないように規制するストッパー機能を有し、本実施例では取付け受け座１１の嵌合口部１７に取り外し可能に係脱する。
【００２８】
しかして、５１は取付け受け座１１の取付け基板部１５と操作部材１０の操作部１０ａとの間に位置する矩形状の垂直板部である。この垂直板部５１は嵌合口部１７に取付けられると、少なくともその上端部５１ａは、図２で示すように嵌合口部１７の上壁１７ｃから多少突出する。またその左右両端部（図５を基準）５１ｂ、５１ｂは、図３で示すように取付け基板部１５の外壁面１５ｂと操作部１０ａの基端部の内壁面との間に丁度当接可能状態に位置する。したがって、この垂直板部５１自体が一次的に操作部材１０に対するストッパー機能を発揮する。
【００２９】
次に５２は垂直板部５１から水平方向に突出するアーム状の弾性係合爪片（係合爪部）で、この変位可能な弾性係合爪片５２は、本実施例では嵌合口部１７の差込み口１９の数に対応して２個設けられている。各弾性係合爪片５２は嵌合口部１７の差込み口１９に入り込み、かつ、その鉤状先端部５３は嵌合口部１７の上壁１７ｃ及び下壁１７ｄの内壁面にそれぞれ形成した被係合部（例えば凹所）５５、５５に係合する。したがって、ストッパー片５０は、嵌合口部１７から容易に外れない。
【００３０】
ところで、弾性係合爪片５２は、ケース状部２５の段差状切欠部２７の切欠幅に略対応する幅を有し、該幅広切欠部２７に入り込むと、上述したように段差状切欠部２７を形成する垂直面２８と取付け基板部１５の外壁面１５ｂの両面にそれぞれ当接し、操作部材１０を脱衣室側に回転させないようにする二次的ストッパー機能を発揮する。
【００３１】
次に５４は上下の弾性係合爪片５２の間に位置するように垂直板部５１の略中央部に突設された小突起である。この小突起５４は嵌合口部１７の前述した位置決め用嵌合孔２０に嵌合する。
【００３２】
上記構成に於いて、平常時、浴室ドアＸを浴室Ａ側に開けようとする場合には、図１０で示すように操作部材１０の操作部１０ａを中扉４側に押す。この場合操作部１０ａの基端部がストッパー片５０の垂直板部５１から離れる。操作部材１０は嵌合口部１７に係合爪片５２を介して一体的に取付けられているので、操作部材１０を中扉４側に繰り返しプッシュしても容易に外れない。
【００３３】
しかして、操作部材１０がバネ部材１３のバネ力に抗して垂直軸１２を支点に内側方向へ水平回転すると、操作部材１０のケース状回転部２２に支持されるように設けられたアーム状駆動片３０の先端部は、図１１で示すように矢印方向に移行する。これにより、ラッチ出没機構Ｙを構成する回転レバー４０及び係合回転片４４は、それぞれ矢印方向（時計／反時計方向）に回転し、その結果、ラッチ９はラッチ案内板４６に案内され、かつ、ラッチバネ４１のバネ力に抗して収没する。したがって、浴室ドアＸをそのまま開放することができる。
【００３４】
一方、緊急時、浴室ドアＸの中扉４をドア本体３から開放する場合には、まず係合手段６の係止片７を係合受け片８から外し、またストッパー片５０を嵌合口部１７から取り外す。ストッパー片５０は、例えば嵌合口部１７の壁面１７ｃ、１７ｄから突出する垂直板部５１の上端部５１ａ等に指を掛け、そのまま嵌合口部から引き抜くと、その係合爪片５２が差込み口１９に摺接しながら内側に変位した後外れる。
【００３５】
そこで、中扉４の把手４ａに手（例えば右手）を掛け、中扉４を手前側に引く。この時、他方の手（例えば左手）を操作部材１０の操作部１０ａの内側に差し入れ、図１２で示すように外方向（脱衣室Ｂ側）に引き寄せる。操作部材１０は他方の手で外方向に引き寄せられると、バネ部材１３のバネ力に抗して水平移転し、中扉４から離れる。したがって、このようにドア本体３に対して中扉４を開放する時、操作部材１０は全く障害部材とはならない。そして、中扉４を所望状態まで開放した後操作部１０ａから手を放すと、操作部材１０はバネ部材１３のバネ力により復帰する。
【００３６】
【実施例】
まず第１実施例に於いて、係合手段６を構成するバー状係止片７と鉤状係合受け片８の取付け位置は逆であっても良い。また操作部材１０を復帰させるバネ部材１３は、１本のバネ線材で構成し、操作部材１０をいずれの方向（中扉側と脱衣室側）にそれぞれ水平回転（プッシュとプル）させても復帰力が働くようにしているが、設計如何によっては２本のバネ線材で構成しても良い。
【００３７】
次に図１３乃至図１７を参照に本発明の第２実施例について説明する。なお、この第２実施例の説明に当たって、前述した第１実施例と同一構成の部分には、同一又は同様の符号を付し、重複する説明を省略する。
【００３８】
まずこの第２実施例は、垂直板部５１Ａの上下端部に鉤状先端部５３Ａを有するストッパー片５０Ａが、取付け受け座１１Ａの嵌合口部１７Ａに軸支されている点が第１実施例のそれと異なる。また操作部材１０Ａの化粧板２１Ａの内端部に、前記鉤状先端部５３Ａが余裕を持って入り込む係合切欠部６０を形成し、この係合切欠部６０によって生じた垂直内端面６０ａが複数個の鉤状先端部５３Ａが当たる係止面の役割を果たす点が第１実施例と主に異なる。
【００３９】
しかして、ストッパー片５０Ａの形状について説明すると、５２Ａは嵌合口部１７Ａに設けられた上下の小突起軸６２にそれぞれ嵌まり合う軸孔６３を有する上下一対の係合爪片で、これらの係合爪片５２Ａの自由端部は、前述したように常時係合切欠部６０内に入り込み、かつ、垂直内端面６０ａと面接触の状態で係合する鉤状先端部５３Ａと成っている。したがって、操作部材１０Ａは浴室側に水平回転可能である反面、脱衣室側には回転しない。
【００４０】
このように第２実施例も、平常時には操作部材１０Ａが脱衣室側に回転せず、一方、緊急時には直ちに操作部材の前記回転規制（ストッパー片５０Ａの係合）の解消を図ることを目的としているので、第１実施例とその目的は同じである。それ故に平常時操作部材１０Ａはラッチ９を後退させるためにのみ使用されるので、使用上の不便さを感じさせない。なお、この第２実施例に於いては、ストッパー片５０Ａの鉤状先端部５３Ａが係合切欠部６０から容易に離れないように、例えばストッパー片５０Ａを係合方向に付勢するバネ部材を適宜に設けても良い。またストッパー片５０Ａをバネ性を有する可撓性接続部を介して嵌合口部１７Ａに一体的に接続しても良い。さらに、ストッパー片５０Ａの鉤状先端部５３Ａは操作部材１０Ａの化粧板２１Ａに係合するが、設計如何によっては操作部材１０Ａのケース状部２５に係合させても良い。
【００４１】
【発明の効果】
以上の説明から明らかなように、本発明にあっては次に列挙するような効果がある。
（１）緊急時に係合手段の係合状態を解除させた救助用中扉を、そのままの位置から脱衣室側に水平回転させて開放することができる。
（２）平常時に操作部材を中扉側にプッシュするとラッチが操作部材の連動してフロント面に収没し、一方、緊急事態発生時に操作部材を脱衣室側にプル（引き寄せ）すると、ラッチが操作部材に連動しないで、操作部材のみが水平回転する。したがって、操作部材を通常は普通一般のレバーハンドルとして使用し、一方、緊急時には中扉をスムースに開放する手段として使用することができる。
（３）レバー状操作部材を簡単にドア本体の取付け受け座に組込むことができると共に、操作部材をいずれの方向（中扉側と脱衣室側）にそれぞれ水平回転（プッシュとプル）させてもバネ部材のバネ力により浴室ドアの外壁面に対向する位置へと復帰する。
（４）平常時には操作部材が脱衣室側に回転しないので、使用上の不便さを感じさせない。そして、緊急時にはストッパー片を取り外し、或いはストッパー片を回転操作して操作部材の回転規制を容易に解消させることができる。
【図面の簡単な説明】
図１乃至図１２は本発明の第１実施例である。図１３乃至図１７は本発明の第２実施例である。
【図１】第１実施例を用いた発明の実施の形態を示す概略説明図。
【図２】主要部（取付け受け座、操作部材、ストッパー片）の斜視図。
【図３】主要部を平面からの説明図。
【図４】主要部の分解斜視図。
【図５】主要部をさらに分解した状態の概略説明図。
【図６】主要部（取付け受け座、操作部材、ストッパー片、ラッチ等）の概略断面説明図。
【図７】主要部の概略縦断面図。
【図８】主要部を平面から見た概略説明図。
【図９】ストッパー片と嵌合口部との関係を示す概略断面説明図。
【図１０】操作部材とラッチの関係を示す概略断面説明図。
【図１１】操作部材に組込まれた駆動片３０とラッチの連動関係を示す概略説明図。
【図１２】中扉を開放する場合に於けるストッパー片と操作部材との関係を示す概略説明図。
【図１３】第２実施例の主要部の平面からの説明図。
【図１４】主要部の分解斜視図。
【図１５】要部の斜視図。
【図１６】操作部材をプッシュした場合の説明図。
【図１７】ストッパー片の係合を解消させた後に操作部材をプルした状態の説明図。
【符号の説明】
Ｘ…浴室ドア、１…ドア用枠、３…ドア本体、４…中扉、５…開口部、６…係合手段、９…ラッチ、１０、１０Ａ…操作部材、１０ａ…操作部、１１、１１Ａ…取付け受け座、１３…バネ部材、１７、１７Ａ…嵌合口部、１７ａ…一側壁、１７ｂ…他側壁、１７ｃ…上壁、１７ｄ…下壁、１９…差込み口、２０…位置決め用嵌合孔、２１、２１Ａ…化粧板、２２…回転部、２４…一部開口、２５…ケース状部、２７…段差状切欠部、２８…垂直面、３０…駆動片、Ｙ…ラッチ出没機構、４１…ラッチバネ、４４…係合回転片、５０、５０Ａ…ストッパー片、５１、５１Ａ…垂直板部、５２…係合爪片、５３、５３Ａ…鉤状先端部、５５…被係合部、６０…係合切欠部、６０ａ…垂直端面（係合面）。
【図１】
0003998336.tif 000002
【図２】
0003998336.tif 000003
【図３】
0003998336.tif 000004
【図４】
0003998336.tif 000005
【図５】
0003998336.tif 000006
【図６】
0003998336.tif 000007
【図７】
0003998336.tif 000008
【図８】
0003998336.tif 000009
【図９】
0003998336.tif 000010
【図１０】
0003998336.tif 000011
【図１１】
0003998336.tif 000012
【図１２】
0003998336.tif 000013
【図１３】
0003998336.tif 000014
【図１４】
0003998336.tif 000015
【図１５】
0003998336.tif 000016
【図１６】
0003998336.tif 000017
【図１７】
0003998336.tif 000018